(57)【要約】【課題】表示パネルにおいて輝度が局所的に高くなるのを抑制しながら、輝度が局所的に低くなるのを抑制することが可能な表示装置を提供する。【解決手段】この液晶表示装置１００（表示装置）は、液晶パネル１と、液晶パネル１が前面に配置される筐体２と、筐体２の内側面部２ｃに配置され、ＬＥＤ３ａ（光源）およびＬＥＤ３ａを覆う光学レンズ３ｂを含む光源部３と、を備える。また、液晶表示装置１００は、光源部３と液晶パネル１との間に設けられ、光源部３から照射される光の強度を減衰して液晶パネル１側に通過させる拡散板４（減衰部）と、拡散板４を通過した光を液晶パネル１側に反射させる反射板５（反射部）と、を備える。【選択図】図２
2020024314.tif 000002
【特許請求の範囲】
【請求項１】
表示パネルと、
前記表示パネルが前面に配置される筐体と、
前記筐体の内側面部に配置され、光源および前記光源を覆う光学レンズを含む光源部と、
前記光源部と前記表示パネルとの間に設けられ、前記光源部から照射される光の強度を減衰して表示パネル側に通過させる減衰部と、
前記減衰部を通過した光を前記表示パネル側に反射させる反射部と、を備える、表示装置。
【請求項２】
前記反射部は、少なくとも一部が前記表示パネルの表示領域よりも外周側に設けられている、請求項１に記載の表示装置。
【請求項３】
前記反射部は、略平板形状を有しているとともに、前記表示パネルの垂線に対して前記表示パネル側に傾斜している、請求項２に記載の表示装置。
【請求項４】
前記反射部は、前記反射部の前記表示パネル側の端部が、前記表示パネルの表示領域の近傍に位置するように設けられている、請求項１〜３のいずれか１項に記載の表示装置。
【請求項５】
前記光学レンズには、前記表示パネルに対して局所的に光を出射する集中部が形成されており、
前記減衰部は、前記集中部から前記表示パネルへ出射される光を遮るように設けられている、請求項１〜４のいずれか１項に記載の表示装置。
【請求項６】
前記集中部は、前記光学レンズの前記表示パネル側の端部に形成されており、
前記減衰部は、前記表示パネルに対して垂直な方向において、前記光学レンズの前記表示パネル側の端部と前記表示パネルとの間の中央よりも、前記光学レンズ側に配置されている、請求項５に記載の表示装置。
【請求項７】
前記減衰部は、前記光学レンズの近傍に配置されている、請求項６に記載の表示装置。
【請求項８】
前記減衰部および前記反射部は、互いに共通の材質により形成されている、請求項１〜７のいずれか１項に記載の表示装置。
【請求項９】
前記減衰部は、前記反射部よりも光の拡散度が高い材質により形成され、
前記反射部は、前記減衰部よりも光の反射率が高い材質により形成されている、請求項１〜７のいずれか１項に記載の表示装置。
【請求項１０】
前記減衰部は、光の透過率が部分毎に異なるように構成されている、請求項１〜７のいずれか１項に記載の表示装置。
【請求項１１】
前記光学レンズには、前記表示パネルに対して局所的に光を出射する第１集中部および第２集中部が形成されており、
前記減衰部は、前記第１集中部からの光が照射されるとともに照射された光を拡散させる第１部分と、前記第１部分よりも光の透過率が高く、前記第２集中部からの光を透過させて前記反射部により前記表示パネル側に反射させる第２部分とを含む、請求項１０に記載の表示装置。
【請求項１２】
前記減衰部および前記反射部は、一体的に形成されている、請求項１〜１１のいずれか１項に記載の表示装置。
【請求項１３】
前記光学レンズには、前記表示パネルに対して局所的に光を出射する第１集中部および第２集中部が形成されており、
前記減衰部および前記反射部は、互いに離間するように設けられ、
前記第１集中部からの光は、前記減衰部により拡散されるとともに、前記第２集中部からの光は、前記減衰部と前記反射部との間を通過して前記反射部により前記表示パネル側に反射されるように構成されている、請求項１〜１０のいずれか１項に記載の表示装置。
【請求項１４】
前記表示パネルに対向するように設けられる前記筐体の底面部を覆う反射シートをさらに備え、
前記反射部は、前記光源部から出射され、前記反射シートにより反射された光を、前記表示パネル側に反射する、請求項１〜１３のいずれか１項に記載の表示装置。
【請求項１５】
前記反射部は、前記反射シートと共通の材質によって形成されている、請求項１４に記載の表示装置。
【発明の詳細な説明】
【技術分野】
【０００１】
この発明は、表示装置に関し、特に、筐体の内側面部に配置されている光源部を備える表示装置に関する。
【背景技術】
【０００２】
従来、筐体の内側面部に配置されている光源部を備える表示装置が知られている（たとえば、特許文献１参照）。
【０００３】
上記特許文献１には、液晶表示装置のバックライトに用いられる面照明装置が開示されている。上記面照明装置は、内側面部に配置される光源を備えている。また、上記面照明装置の内部の背面には、光源からの光を前面側（表示パネル側）に反射する乱反射層が設けられている。また、上記面照明装置の前面には、乱反射層から反射された光、および、光源からの光が照射され、照射された光を表示パネル側に拡散する光拡散板が設けられている。また、上記面照明装置は、光源と光拡散板との間に設けられ、光拡散板の端部側へ向かって光源から照射される光を遮る半透明板が設けられる。
【先行技術文献】
【特許文献】
【０００４】
【特許文献１】特開平７−９４００８号公報
【発明の概要】
【発明が解決しようとする課題】
【０００５】
しかしながら、上記特許文献１に記載の面照明装置では、半透明板により光源からの光の強度が減衰されることに起因して、光拡散板（および表示パネル）において輝度が局所的に高くなるのが抑制される一方、輝度が過度に低くなる場合がある。この場合、表示パネルの輝度が局所的に低くなる場合があるという問題点がある。
【０００６】
この発明は、上記のような課題を解決するためになされたものであり、この発明の１つの目的は、表示パネルにおいて輝度が局所的に高くなるのを抑制しながら、輝度が局所的に低くなるのを抑制することが可能な表示装置を提供することである。
【課題を解決するための手段】
【０００７】
この発明の一の局面による表示装置は、表示パネルと、表示パネルが前面に配置される筐体と、筐体の内側面部に配置され、光源および光源を覆う光学レンズを含む光源部と、光源部と表示パネルとの間に設けられ、光源部から照射される光の強度を減衰して表示パネル側に通過させる減衰部と、減衰部を通過した光を表示パネル側に反射させる反射部と、を備える。
【０００８】
この発明の一の局面による表示装置では、上記のように、減衰部により、光源部から照射される光の強度を減衰することにより、表示パネルの輝度が局所的に高くなるのを抑制することができる。さらに、減衰部による光が減衰されることにより、光源部から表示パネル側に照射された光の強度が過度に小さくなった場合でも、反射部により減衰部を通過した光を表示パネル側に反射させることによって、表示パネルの輝度を高くすることができる。これにより、表示パネルの輝度が局所的に低くなるのを抑制することができる。これらの結果、表示パネルにおいて輝度が局所的に高くなるのを抑制しながら、輝度が局所的に低くなるのを抑制することができる。
【０００９】
上記一の局面による表示装置において、好ましくは、反射部は、少なくとも一部が表示パネルの表示領域よりも外周側に設けられている。このように構成すれば、減衰部を通過して表示領域の外周側へ向かった光を、反射部により表示パネル側に反射することができる。その結果、光源部からの光を効率的に表示パネルに照射することができるので、表示パネルの輝度が局所的に低くなるのを効果的に抑制することができる。
【００１０】
この場合、好ましくは、反射部は、略平板形状を有しているとともに、表示パネルの垂線に対して表示パネル側に傾斜している。このように構成すれば、反射部に照射された光が表示パネル側に反射され易くなるので、より効率的に反射部からの光を表示パネル側に反射させることができる。
【００１１】
上記一の局面による表示装置において、好ましくは、反射部は、反射部の表示パネル側の端部が、表示パネルの表示領域の近傍に位置するように設けられている。このように構成すれば、反射部の表示パネル側の端部と、表示パネルの表示領域との間から光が漏れるのを抑制することができる。なお、表示領域の近傍とは、表示領域の位置そのものと、表示領域の付近との両方を含む意味である。
【００１２】
上記一の局面による表示装置において、好ましくは、光学レンズには、表示パネルに対して局所的に光を出射する集中部が形成されており、減衰部は、集中部から表示パネルへ出射される光を遮るように設けられている。このように構成すれば、集中部から照射される光を減衰部により減衰させることができるので、集中部からの光に起因して表示パネルの輝度が局所的に高くなるのを抑制することができる。
【００１３】
この場合、好ましくは、集中部は、光学レンズの表示パネル側の端部に形成されており、減衰部は、表示パネルに対して垂直な方向において、光学レンズの表示パネル側の端部と表示パネルとの間の中央よりも、光学レンズ側に配置されている。このように構成すれば、減衰部が、光学レンズの表示パネル側の端部と表示パネルとの間の中央よりも表示パネル側に設けられている場合に比べて、光学レンズ（集中部）と減衰部との間の距離を小さくすることができる。その結果、減衰部により、光学レンズ（集中部）からの光を容易に遮ることができる。また、この場合、減衰部と表示パネルとの間の距離が比較的大きくなるので、減衰部が拡散機能を有している場合に、減衰部を通過した光を表示パネル側に向かってより広範囲に拡散することができる。
【００１４】
上記減衰部が光学レンズの表示パネル側の端部と表示パネルとの間の中央よりも光学レンズ側に配置されている表示装置において、減衰部は、光学レンズの近傍に配置されている。このように構成すれば、減衰部により、集中部からの光をより容易に遮ることができる。なお、光学レンズの近傍とは、光学レンズの位置そのものと、光学レンズの付近との両方を含む意味である。
【００１５】
上記一の局面による表示装置において、好ましくは、減衰部および反射部は、互いに共通の材質により形成されている。このように構成すれば、減衰部および反射部が互いに異なる材質により形成されている場合に比べて、部品の種類を少なくすることができる。
【００１６】
上記一の局面による表示装置において、好ましくは、減衰部は、反射部よりも光の拡散度が高い材質により形成され、反射部は、減衰部よりも光の反射率が高い材質により形成されている。このように構成すれば、減衰部の拡散度が反射部の拡散度以下である場合に比べて、減衰部によって、より効果的に光を拡散することができる。その結果、表示パネルの輝度が局所的に高くなるのをより抑制することができる。また、反射部の反射率が、減衰部の反射率以下である場合に比べて、反射部により比較的効率的に、光を表示パネルに照射することができる。その結果、減衰部により光の強度が過度に低下した場合に、反射部からの反射光によって表示パネルを照射することにより、表示パネルの輝度が過度に低くなるのを（局所的に輝度が低下するのを）より効果的に抑制することができる。
【００１７】
上記一の局面による表示装置において、好ましくは、減衰部は、光の透過率が部分毎に異なるように構成されている。このように構成すれば、減衰部から出射される光の強度を部分毎に変化させることができる。その結果、表示パネルに照射される光の強度を部分毎に変化させることができるので、表示パネルの部分毎の輝度を容易に調整することができる。
【００１８】
この場合、好ましくは、光学レンズには、表示パネルに対して局所的に光を出射する第１集中部および第２集中部が形成されており、減衰部は、第１集中部からの光が照射されるとともに照射された光を拡散させる第１部分と、第１部分よりも光の透過率が高く、第２集中部からの光を透過させて反射部により表示パネル側に反射させる第２部分とを含む。このように構成すれば、比較的透過率が低い第１部分により第１集中部からの光が遮られることにより、光が比較的大きく減衰されるので、第１集中部からの光に起因して表示パネルの輝度が局所的に高くなるのを抑制することができる。また、第２集中部からの光が、比較的透過率の高い第２部分を透過することにより、第２集中部からの光の減衰量を小さくすることができるので、第２集中部からの光を利用して、表示パネルの輝度が局所的に低くなるのを抑制することができる。
【００１９】
上記一の局面による表示装置において、好ましくは、減衰部および反射部は、一体的に形成されている。このように構成すれば、減衰部および反射部の位置が互いにずれることを抑制することができる。その結果、減衰部を通過した光を反射部により反射させる際に、反射部による光の反射角がばらつくのを抑制することができる。また、減衰部および反射部を一体的に形成することによって、部品点数を低減することができる。
【００２０】
上記一の局面による表示装置において、好ましくは、光学レンズには、表示パネルに対して局所的に光を出射する第１集中部および第２集中部が形成されており、減衰部および反射部は、互いに離間するように設けられ、第１集中部からの光は、減衰部により拡散されるとともに、第２集中部からの光は、減衰部と反射部との間を通過して反射部により表示パネル側に反射されるように構成されている。このように構成すれば、減衰部により第１集中部からの光を遮ることにより、第１集中部からの光が減衰されるので、第１集中部からの光に起因して表示パネルの輝度が局所的に高くなるのを抑制することができる。また、第２集中部からの光が減衰部と反射部との間を通過することにより、第２集中部からの光が減衰されないので、第２集中部からの光を利用して、表示パネルの輝度が局所的に低くなるのを抑制することができる。
【００２１】
また、第２集中部からの光を別途設けられた透過率の高い部材により透過（拡散）させる場合に比べて、部品点数を低減することができる。
【００２２】
上記一の局面による表示装置において、好ましくは、表示パネルに対向するように設けられる筐体の底面部を覆う反射シートをさらに備え、反射部は、光源部から出射され、反射シートにより反射された光を、表示パネル側に反射する。このように構成すれば、反射シートから反射される光を反射部により反射させない場合に比べて、表示パネルの輝度を高くすることができる。その結果、表示パネルの輝度が局所的に低くなるのを抑制することができる。
【００２３】
この場合、好ましくは、反射部は、反射シートと共通の材質によって形成されている。このように構成すれば、反射シートと反射部とが互いに異なる材質により形成されている場合に比べて、部品の種類を少なくすることができる。
【発明の効果】
【００２４】
本発明によれば、上記のように、表示パネルにおいて輝度が局所的に高くなるのを抑制しながら、輝度が局所的に低くなるのを抑制することが可能な表示装置を提供することができる。
【図面の簡単な説明】
【００２５】
【図１】第１〜第３実施形態による液晶表示装置の構成を示した斜視図である。
【図２】図１の２００−２００線に沿った断面図である。
【図３】第１実施形態による液晶表示装置の光源部の構成を示した図である。
【図４】第１実施形態による液晶表示装置の光源部周辺の部分拡大図である。
【図５】第１実施形態による液晶表示装置の光源部からの光と拡散板との関係を説明するための図である。
【図６】液晶表示装置の拡散板および反射板による液晶パネルの輝度に与える影響を説明するための図である。（図６（Ａ）は、拡散板および反射板が設けられていない比較例１の図である。図６（Ｂ）は、拡散板のみが設けられている比較例２の図である。図６（Ｃ）は、拡散板および反射板が設けられている第１実施形態の図である。）
【図７】反射板の反射率と液晶パネルの輝度との関係を説明するための図である。（図７（Ａ）は、Ｖ位置と液晶パネルの輝度との関係を表した図である。図７（Ｂ）は、反射板の反射率と液晶パネルの平均輝度との関係を表した図である。）
【図８】反射板の幅と液晶パネルの輝度との関係を説明するための図である。（図８（Ａ）は、Ｖ位置と液晶パネルの輝度との関係を表した図である。図８（Ｂ）は、反射板の幅と液晶パネルの平均輝度との関係を表した図である。）
【図９】反射板の角度と液晶パネルの輝度との関係を説明するための図である。（図９（Ａ）は、Ｖ位置と液晶パネルの輝度との関係を表した図である。図９（Ｂ）は、反射板の角度と液晶パネルの平均輝度との関係を表した図である。）
【図１０】拡散板の拡散度と液晶パネルの輝度との関係を説明するための図である。（図１０（Ａ）は、Ｖ位置と液晶パネルの輝度との関係を表した図である。図１０（Ｂ）は、拡散板の拡散度と液晶パネルの輝度のムラとの関係を表した図である。）
【図１１】拡散板の位置と液晶パネルの輝度との関係を説明するための図である。（図１１（Ａ）は、Ｖ位置と液晶パネルの輝度との関係を表した図である。図１１（Ｂ）は、拡散板の位置と液晶パネルの輝度のムラとの関係を表した図である。）
【図１２】第２実施形態による液晶表示装置の光源部周辺の部分拡大図である。
【図１３】第３実施形態による液晶表示装置の光源部周辺の部分拡大図である。
【図１４】第３実施形態による液晶表示装置の拡散板の支持構造を説明するための図である。
【図１５】第１実施形態の第１変形例による液晶表示装置の光源部周辺の部分拡大図である。
【図１６】第１〜第３実施形態の第２変形例による液晶表示装置の光源部周辺の部分拡大図である。
【発明を実施するための形態】
【００２６】
以下、本発明を具体化した実施形態を図面に基づいて説明する。
【００２７】
［第１実施形態］
図１〜図６を参照して、第１実施形態による液晶表示装置１００の構成について説明する。なお、本明細書では、液晶表示装置１００の前面側および背面側を、それぞれ、Ｙ１方向側およびＹ２方向側として説明する。また、液晶表示装置１００を前面側から見て、左側および右側を、それぞれ、Ｘ１方向側およびＸ２方向側として説明する。また、液晶表示装置１００の上方側および下方側を、それぞれ、Ｚ１方向側およびＺ２方向側として説明する。なお、液晶表示装置１００は、特許請求の範囲の「表示装置」の一例である。
【００２８】
（液晶表示装置の構成）
図１に示すように、液晶表示装置１００は、液晶パネル１を備える。液晶パネル１は、略長方形形状を有している。また、液晶表示装置１００には、液晶パネル１が前面に配置される筐体２を備える。筐体２は、液晶パネル１を収容するフロントキャビネット２ａ、および、フロントキャビネット２ａの背面側（Ｙ２方向側）に設けられるリアキャビネット２ｂとを含む。なお、液晶パネル１は、特許請求の範囲の「表示パネル」の一例である。
【００２９】
図２に示すように、液晶表示装置１００は、筐体２（リアキャビネット２ｂ）の内側面部２ｃに配置される光源部３を備える。内側面部２ｃは、略長方形形状の液晶パネル１の４辺の各々に沿って設けられている。光源部３は、Ｘ方向に延びる２つの内側面部２ｃのうち、下方側（Ｚ２方向側）に設けられる内側面部２ｃに配置されている。
【００３０】
光源部３は、ＬＥＤ（Ｌｉｇｈｔ  Ｅｍｉｔｔｉｎｇ  Ｄｉｏｄｅ）３ａと、ＬＥＤ３ａを覆う光学レンズ３ｂとを含む。ＬＥＤ３ａは、液晶表示装置１００のＸ１方向側の端部近傍からＸ２方向側の端部近傍まで、Ｘ方向に沿って複数個並んで配置されている。また、光学レンズ３ｂは、複数のＬＥＤ３ａの全てを覆うようにＸ方向に延びるように設けられている。なお、ＬＥＤ３ａは、特許請求の範囲の「光源」の一例である。
【００３１】
ここで、図３を参照して、光学レンズ３ｂの構成を説明する。図３に示すように、光学レンズ３ｂは、ＬＥＤ３ａをＺ１方向側から覆うように設けられる出光面３ｃを含む。出光面３ｃは、ＬＥＤ３ａの上方側（Ｚ１方向側）において湾曲して形成されている部分３ｄと、部分３ｄをＸ方向において挟むように設けられる部分３ｅとを有する。部分３ｅは、部分３ｄの端部から上方側（後述する面３ｊから離れる方向側）に傾斜するように設けられている。
【００３２】
また、光学レンズ３ｂは、出光面３ｃの下方（後述する面３ｊ側）に設けられ、出光面３ｃと連続的に形成されている側面３ｆを含む。側面３ｆは、Ｚ１方向側から見て、ＬＥＤ３ａをＸ方向において挟むように設けられている。側面３ｆは、ＬＥＤ３ａから離れるにしたがって上方に傾斜するように設けられている。
【００３３】
また、出光面３ｃの部分３ｅと側面３ｆとは、光学レンズ３ｂの端部３ｇにおいて連続的に接続されている。出光面３ｃの部分３ｅおよび側面３ｆの各々が傾斜していることによって、光学レンズ３ｂは、端部３ｇに向かって先細る形状を有している。
【００３４】
図４に示すように、液晶表示装置１００は、光源部３と液晶パネル１との間に設けられる拡散板４を備える。拡散板４は、光源部３から照射される光の強度を減衰して液晶パネル１側に通過させるように構成されている。具体的には、拡散板４は、光源部３から照射される光を拡散して液晶パネル１側に通過させる。拡散板４の光の透過率、反射率、および、拡散度は、それぞれ、７５％、２５％、および、９０％である。なお、拡散板４の光の透過率、反射率、および、拡散度は、これらの値に限られない。また、拡散板４は、特許請求の範囲の「減衰部」の一例である。なお、透過率とは、波動が物質を透過する前の強度と透過した後の強度との比を意味する。また、反射率とは、波動が媒質の境界面で反射する際に、入射する波のエネルギーに対する反射する波のエネルギーの比を意味する。また、拡散度とは、入射された光の拡散される度合いを意味する。
【００３５】
また、拡散板４は、略平板形状を有している。また、拡散板４は、光学レンズ３ｂに沿ってＸ方向に延びるように設けられている。
【００３６】
また、拡散板４は、液晶パネル１と略平行に設けられている。具体的には、拡散板４は、Ｘ方向から見て、筐体２の内側面部２ｃから上方側（Ｚ１方向側）に延びるように設けられている。
【００３７】
ここで、図５に示すように、光学レンズ３ｂには、液晶パネル１に対して局所的に光を出射する第１集中部３ｈおよび第２集中部３ｉ（他の部分よりも光束が集中して相対的に高輝度の光を出射する部分）が形成される。すなわち、第１集中部３ｈおよび第２集中部３ｉから出射された光は、液晶パネル１の輝度を高輝度にし得る光である。
【００３８】
第１集中部３ｈは、光学レンズ３ｂの端部３ｇに形成されている。第２集中部３ｉは、光学レンズ３ｂの側面３ｆに形成されている。第１集中部３ｈからの光は、主に、液晶パネル１側に向かって上方側（Ｚ１方向側）に出射される。また、第２集中部３ｉからの光は、主に、液晶パネル１側に向かって下方側（Ｚ２方向側）に出射される。なお、図５では、液晶パネル１に局所的に照射される光（第１集中部３ｈおよび第２集中部３ｉからの光）を実線矢印により表示し、液晶パネル１に局所的に照射されない光（比較的均一に照射される光）を破線矢印により表示する。また、図５では、拡散板４により光が拡散される様子は、簡略化のため図示を省略する。なお、第１集中部３ｈおよび第２集中部３ｉは、それぞれ、特許請求の範囲の「集中部」の一例である。
【００３９】
第１実施形態では、拡散板４は、第１集中部３ｈおよび第２集中部３ｉから液晶パネル１へ出射される光を遮るように設けられている。すなわち、拡散板４は、第１集中部３ｈおよび第２集中部３ｉから出射される光の光路上に設けられている。ここで、第１集中部３ｈからの光のうち、液晶パネル１（図２参照）の垂線α（図４参照）に対する傾斜角（垂線αと第１集中部３ｈからの光とのなす鋭角の角度）が最も大きい角度を角度θ１（たとえば６０度）とし、第１集中部３ｈおよび第２集中部３ｉ以外からの光（図５の破線矢印の光）のうち、液晶パネル１の垂線α（図４参照）に対する傾斜角（垂線αと第１集中部３ｈおよび第２集中部３ｉ以外からの光とのなす鋭角の角度）が最も小さい角度を角度θ２（たとえば８０度）とする。また、拡散板４から液晶パネル１側の端部３ｇまでの距離を距離Ｄ１とする。また、ＬＥＤ３ａが載置されている面３ｊからの拡散板４の高さを高さＨ１とする。また、ＬＥＤ３ａが載置されている面３ｊからの端部３ｇの高さを高さＨ２とする。なお、第１実施形態では、距離Ｄ１は、後述するように略ゼロだが、図５では説明のために距離Ｄ１がゼロよりも大きい例を図示する。
【００４０】
第１実施形態では、高さＨ１が、Ｈ２＋Ｄ１×ｔａｎθ１よりも大きい。これにより、第１集中部３ｈからの光は、拡散板４により遮られる。なお、仮に、高さＨ１が、Ｈ２＋Ｄ１×ｔａｎθ２よりも小さい場合には、第１集中部３ｈおよび第２集中部３ｉ以外からの光（破線矢印の光）は、拡散板４により遮られない。
【００４１】
なお、第１実施形態では、高さＨ１が、Ｈ２＋Ｄ１×ｔａｎθ１よりも大きくなるように、内側面部２ｃからの拡散板４の高さＨ３（図４参照、たとえば約１４ｍｍ）が設定されている。また、内側面部２ｃからの拡散板４の高さＨ３は、内側面部２ｃからの端部３ｇの高さＨ４（図４参照）よりも大きい。なお、高さＨ３は、１４ｍｍ以外の大きさであってもよい。たとえば、高さＨ３は、２ｍｍ以上であれば一定の効果が得られる。
【００４２】
また、第１実施形態では、図４に示すように、拡散板４は、液晶パネル１に対して垂直な方向（Ｙ方向）において、光学レンズ３ｂの液晶パネル１側の端部３ｇと液晶パネル１との間の中央よりも、光学レンズ３ｂ側に配置されている。
【００４３】
具体的には、拡散板４は、光学レンズ３ｂの近傍に配置されている。詳細には、光学レンズ３ｂの液晶パネル１側の端部３ｇと、拡散板４とは、接触している。すなわち、後述する光学シート６と光学レンズ３ｂの液晶パネル１側の端部３ｇとの間の距離、および、光学シート６と拡散板４との間の距離は、それぞれ、略等しい大きさ（距離Ｄ２）である。距離Ｄ２は、たとえば、約８．７ｍｍである。なお、ＬＥＤ３ａの中心と光学シート６との間の距離Ｄ３（図４参照）は、たとえば２０ｍｍである。なお、光源部３および拡散板４の各々を、距離Ｄ２およびＤ３が大きくなるように、光学シート６からさらに離間させて配置してもよい。
【００４４】
また、第１実施形態では、液晶表示装置１００は、拡散板４を通過した光を液晶パネル１側に反射させる反射板５を備える。具体的には、反射板５は、主に、第２集中部３ｉ（図５参照）から出射されて拡散板４により拡散された光を、液晶パネル１側に反射（図４の破線矢印参照）させる。また、反射板５は、第１集中部３ｈ（図５参照）から出射されて拡散板４により拡散された光の少なくとも一部を、液晶パネル１側に反射（図４の破線矢印参照）させている。また、反射板５は、光学レンズ３ｂのうち、第１集中部３ｈおよび第２集中部３ｉ以外の部分から出射され、拡散板４により拡散された光の少なくとも一部も液晶パネル１側に反射（図４の破線矢印参照）する。なお、反射板５は、特許請求の範囲の「反射部」の一例である。
【００４５】
反射板５は、略平板形状を有している。反射板５は、光学レンズ３ｂおよび拡散板４に沿って延びるように設けられている。すなわち、反射板５は、光学レンズ３ｂおよび拡散板４と同様に、Ｘ方向に沿って延びるように設けられている。
【００４６】
また、拡散板４および反射板５は、互いに共通の材質により形成されている。すなわち、反射板５の光の透過率、反射率、および、拡散度は、それぞれ、７５％、２５％、および、９０％である。なお、反射板５の反射率は、これに限られない。反射板５の反射率は、１０％〜１００％の範囲であり得る。
【００４７】
また、拡散板４および反射板５は、一体的に形成されている。具体的には、単一の板状部材が折り曲げられることによって、拡散板４および反射板５が形成されている。
【００４８】
拡散板４および反射板５は、反射板５が内側面部２ｃにより支持されることにより、固定（保持）されている。
【００４９】
また、反射板５は、略全体が液晶パネル１の表示領域Ａよりも外周側に設けられている。具体的には、Ｘ方向から見て、反射板５の略全体は、表示領域Ａの下方側に設けられている。すなわち、図示は省略するが、液晶パネル１を正面に見て（Ｙ１方向側から見て）、反射板５の略全体は、液晶パネル１のうちの表示領域Ａよりも下方側の領域（いわゆる額縁領域）とオーバーラップしている。また、液晶パネル１を正面に見て（Ｙ１方向側から見て）、拡散板４の略全体は、表示領域Ａとオーバーラップしている。
【００５０】
また、反射板５は、液晶パネル１の垂線α（すなわちＹ方向に延びる線分）に対して液晶パネル１側に傾斜している。具体的には、反射板５は、反射板５の後述する端部５ａを支点に液晶パネル１側に傾斜している。すなわち、反射板５は、端部５ａから拡散板４に向かって（Ｙ２方向側に向かって）上方側（Ｚ１方向側）に傾斜している。具体的には、液晶パネル１の垂線αと、反射板５との間の角度θ３（垂線αと反射板５とのなす鋭角の角度）は、たとえば３０度である。なお、角度θ３は、３０度に限られない。たとえば、角度θ３は、−３０度から７０度の範囲の角度であるのが好ましい。なお、角度が−３０度とは、反射板５が、液晶パネル１側とは反対側に３０度傾斜していることを意味する。
【００５１】
また、反射板５は、反射板５の液晶パネル１側（Ｙ１方向側）の端部５ａが、液晶パネル１の表示領域Ａの近傍に位置するように設けられている。具体的には、液晶表示装置１００には、液晶パネル１の背面に設けられる光学シート６が設けられている。そして、反射板５は、反射板５の端部５ａが、光学シート６と接触するように設けられている。
【００５２】
また、液晶表示装置１００は、液晶パネル１に対向するように設けられる反射シート７を備えている、反射シート７は、筐体２（リアキャビネット２ｂ）の底面部２ｄを覆うように設けられている。光源部３から出射された光は、反射シート７により反射されて、液晶パネル１に照射される。なお、液晶表示装置１００の内部には、導光板が設けられていない。したがって、光源部３から出射された光は、液晶表示装置１００内の空気層を通過して、反射シート７に照射される。
【００５３】
具体的には、リアキャビネット２ｂは、フロントキャビネット２ａ側（Ｙ１方向側）に向かって迫り出すように設けられる傾斜部２ｅ（図２参照）を有している。傾斜部２ｅは、光源部３が配置されている内側面部２ｃを垂直に見て、光源部３とオーバーラップするように設けられている。これにより、光源部３の出光面３ｃ（図３参照）から出射された光は、傾斜部２ｅに設けられた反射シート７により、液晶パネル１側に反射（図２の破線矢印参照）される。
【００５４】
また、反射板５は、光源部３から出射され、反射シート７により反射された光の少なくとも一部を、液晶パネル１側に反射する。具体的には、反射シート７に反射されて、拡散板４の裏側（液晶パネル１側）に回り込んだ光が、反射板５により液晶パネル１側に反射される。
【００５５】
次に、図６を参照して、拡散板４および反射板５を設けた場合の、液晶パネル１の輝度について説明する。なお、図６（Ａ）〜（Ｃ）において、縦軸は、液晶パネル１の輝度を表し、横軸は、筐体２の内側面部２ｃ（図４参照）からの距離（以下、Ｖ位置と記載）を表している。
【００５６】
まず、図６（Ａ）を参照して、比較例１として、拡散板４および反射板５の両方が設けられていない場合について説明する。この場合、Ｖ位置が小さい箇所（図６（Ａ）ではＶ位置が約４ｍｍおよび約２０ｍｍの位置）において、液晶パネル１に輝線（局所的に輝度が高い箇所）が生じている。また、Ｖ位置が０ｍｍから約２０ｍｍまでの領域では、液晶パネル１の輝度は全体的に低下しているため暗くなる。
【００５７】
次に、図６（Ｂ）を参照して、比較例２として、拡散板４のみが設けられている（反射板５が設けられていない）場合について説明する。この場合、図６（Ａ）に結果に現われていた輝線は現われないが、Ｖ位置が０ｍｍから約１８ｍｍまでの領域では、液晶パネル１の輝度は全体的に低下しているため暗い。
【００５８】
次に、図６（Ｃ）を参照して、第１実施形態の構成（拡散板４および反射板５の両方が設けられている場合の構成）について説明する。この場合、輝線が現われないとともに、図６（Ａ）および図６（Ｂ）の場合に比べて、Ｖ位置が小さい領域（Ｖ位置が０ｍｍから約２０ｍｍの領域）において輝度が全体的に上昇し、液晶パネル１における輝度のムラが少なくなる。その結果、液晶パネル１に暗線（輝度が局所的に低い箇所）は生じない。
【００５９】
（実験結果）
次に、図７（Ａ）および図７（Ｂ）を参照して、反射板５の反射率を変化させた場合の実験結果について説明する。なお、この実験では、拡散板４は設けられていない。
【００６０】
図７に示すように、反射板５の反射率が、５％、１７％、２５％、および、９７％である４パターンにおいて実験を行った。図７（Ａ）に示すように、反射率が９７％の場合に、Ｖ位置が０ｍｍから約１０ｍｍの領域において、液晶パネル１の輝度が比較的高いことが確認された。また、図７（Ｂ）に示すように、反射板５の反射率が高い程、液晶パネル１の平均輝度が高くなるという結果が得られた。
【００６１】
次に、図８（Ａ）および図８（Ｂ）を参照して、反射板５の幅を変化させた場合の実験結果について説明する。なお、反射板５の幅とは、Ｙ方向において、光学レンズ３ｂの液晶パネル１側の端部３ｇから、反射板５の端部５ａ（図４参照）までの幅（長さ）を意味する。なお、この実験では、反射板５の反射率を９７％として測定を行った。また、この実験では、拡散板４を設けずに実験を行った。
【００６２】
図８に示すように、反射板５の幅が、０ｍｍ、２ｍｍ、５ｍｍ、および、１０ｍｍである４パターンにおいて実験を行った。図８（Ａ）に示すように、反射板５の幅が大きい程、Ｖ位置が０ｍｍから約１０ｍｍの領域において、液晶パネル１の輝度が高いことが確認された。また、図８（Ｂ）に示すように、反射板５の幅が大きい程、液晶パネル１の平均輝度が高くなるという結果が得られた。なお、反射板５の幅が０ｍｍとは、反射板５が設けられていないことを意味する。
【００６３】
次に、図９（Ａ）および図９（Ｂ）を参照して、反射板５の角度（角度θ３、図４参照）を変化させた場合の実験結果について説明する。なお、この実験では、拡散板４の光の透過率、反射率、および、拡散度を、それぞれ、７５％、２５％、および、９０％とし、反射板５の反射率を９７％とし、光学シート６から拡散板４までの距離Ｄ２（図４参照）を９ｍｍとして実験を行った。
【００６４】
図９に示すように、反射板５の角度θ３が、０度、１５度、３０度、および、４５度である４パターンにおいて実験を行った。図９（Ａ）に示すように、反射板５の角度θ３が１５度の場合に、Ｖ位置が０ｍｍから約１０ｍｍの領域において、液晶パネル１の輝度が比較的高いことが確認された。また、図９（Ｂ）に示すように、反射板５の角度θ３が１５度の場合に、液晶パネル１の平均輝度が最も高くなるという結果が得られた。
【００６５】
次に、図１０（Ａ）および図１０（Ｂ）を参照して、拡散板４の拡散度を変化させた場合の実験結果について説明する。なお、この実験では、反射板５を設けずに実験を行った。また、拡散板４の光の透過率、反射率、および、拡散度を、それぞれ、７５％、２５％、および、９０％として実験を行った。
【００６６】
図１０（Ａ）に示すように、拡散板４の拡散度が、０％（拡散無し）、８８％、９２％、および、９９％である４パターンにおいて実験を行った。図１０（Ａ）の結果から、輝度のムラの程度を相関係数（Ｒ）の２乗として定量化すると、図１０（Ｂ）に示すように、拡散板４の拡散度が高い程、Ｒの２乗の値が大きい（液晶パネル１の輝度のムラが小さい）という結果が得られた。
【００６７】
次に、図１１（Ａ）および図１１（Ｂ）を参照して、拡散板４の光学シート６からの距離Ｄ２（図４参照）を変化させた場合の実験結果について説明する。なお、この実験では、反射板５を設けずに実験を行った。また、拡散板４の光の透過率、反射率、および、拡散度を、それぞれ、７５％、２５％、および、９０％として実験を行った。
【００６８】
図１１（Ａ）に示すように、距離Ｄ２が、０ｍｍ、４ｍｍ、および、９ｍｍである３パターンにおいて実験を行った。図１１（Ａ）の結果から、輝度のムラの程度を相関係数（Ｒ）の２乗として定量化すると、図１１（Ｂ）に示すように、距離Ｄ２が大きい程、Ｒの２乗の値が大きい（液晶パネル１の輝度のムラが小さい）という結果が得られた。なお、距離Ｄ２が０ｍｍとは、拡散板４と光学シート６とが密着していることを意味する。
【００６９】
以上の実験結果から、拡散板４の拡散機能によって、液晶パネル１の輝度のムラが低減されるとともに、反射板５の反射機能によって、液晶パネル１の輝度が高くなることが確認された。この実験結果から、拡散板４の拡散機能および反射板５の反射機能を組み合わせることによって、図６（Ｃ）のように、液晶パネル１において輝度が局所的に高くなるのを抑制しながら、輝度が局所的に低くなるのを抑制することが可能であると言える。
【００７０】
（第１実施形態の効果）
第１実施形態では、以下のような効果を得ることができる。
【００７１】
第１実施形態では、上記のように、光源部３と液晶パネル１との間に設けられ、光源部３から照射される光の強度を減衰して液晶パネル１側に通過させる拡散板４と、拡散板４を通過した光を液晶パネル１側に反射させる反射板５と、を備えるように、液晶表示装置１００を構成する。これにより、拡散板４により、光源部３から照射される光の強度を減衰することにより、液晶パネル１の輝度が局所的に高くなるのを抑制することができる。さらに、拡散板４により、光源部３から液晶パネル１側に照射された光の強度が過度に小さくなった場合でも、反射板５により拡散板４を通過した光を液晶パネル１側に反射させることによって、液晶パネル１に光を効率的に照射することができる。これにより、液晶パネル１の輝度が局所的に低くなるのを抑制することができる。これらの結果、液晶パネル１において輝度が局所的に高くなるのを抑制しながら、輝度が局所的に低くなるのを抑制することができる。
【００７２】
また、第１実施形態では、上記のように、反射板５の略全体が液晶パネル１の表示領域Ａよりも外周側に設けられるように、液晶表示装置１００を構成する。これにより、拡散板４を通過して表示領域Ａの外周側へ向かった光を、反射板５により液晶パネル１側に反射することができる。その結果、光源部３からの光を効率的に液晶パネル１に照射することができるので、液晶パネル１の輝度が局所的に低くなるのを効果的に抑制することができる。
【００７３】
また、第１実施形態では、上記のように、反射板５が、略平板形状を有しているとともに、液晶パネル１の垂線αに対して液晶パネル１側に傾斜するように、液晶表示装置１００を構成する。これにより、反射板５に照射された光が液晶パネル１側に反射され易くなるので、より効率的に反射板５からの光を液晶パネル１側に反射させることができる。
【００７４】
また、第１実施形態では、上記のように、反射板５の液晶パネル１側の端部３ｇが、液晶パネル１の表示領域Ａの近傍に位置している。これにより、反射板５の液晶パネル１側の端部３ｇと、液晶パネル１の表示領域Ａとの間から光が漏れるのを抑制することができるので、反射板５により、拡散板４を通過した光をさらに効率的に液晶パネル１側に照射（反射）することができる。
【００７５】
また、第１実施形態では、上記のように、拡散板４が、第１集中部３ｈおよび第２集中部３ｉから液晶パネル１へ出射される光を遮るように設けられている。これにより、第１集中部３ｈおよび第２集中部３ｉから照射される光を拡散板４により効果的に減衰させることができるので、液晶パネル１の輝度が局所的に高くなるのを効果的に抑制することができる。
【００７６】
また、第１実施形態では、上記のように、拡散板４が、液晶パネル１に対して垂直な方向において、光学レンズ３ｂの液晶パネル１側の端部３ｇと液晶パネル１との間の中央よりも、光学レンズ３ｂ側に配置されるように、液晶表示装置１００を構成する。これにより、拡散板４が、光学レンズ３ｂの液晶パネル１側の端部３ｇと液晶パネル１との間の中央よりも液晶パネル１側に設けられている場合に比べて、光学レンズ３ｂ（第１集中部３ｈ）と拡散板４との間の距離を小さくすることができる。その結果、拡散板４により、光学レンズ３ｂ（第１集中部３ｈ）からの光を容易に遮ることができる。また、この場合、拡散板４と液晶パネル１との間の距離が比較的大きくなるので、拡散板４を通過した光をより広範囲に拡散することができる。
【００７７】
また、第１実施形態では、上記のように、拡散板４が、光学レンズ３ｂの近傍に配置されるように、液晶表示装置１００を構成する。これにより、拡散板４により、第１集中部３ｈからの光をより容易に遮ることができる。
【００７８】
また、第１実施形態では、上記のように、拡散板４および反射板５が、互いに共通の材質により形成されるように、液晶表示装置１００を構成する。これにより、拡散板４および反射板５が互いに異なる材質により形成されている場合に比べて、部品の種類を少なくすることができる。
【００７９】
また、第１実施形態では、上記のように、拡散板４および反射板５が、一体的に形成されるように、液晶表示装置１００を構成する。これにより、拡散板４および反射板５の位置が互いにずれることを抑制することができる。その結果、拡散板４を通過した光を反射板５により反射させる際に、光の反射角などがばらつくのを抑制することができる。また、拡散板４および反射板５を一体的に形成することによって、部品点数を低減することができる。
【００８０】
また、第１実施形態では、上記のように、反射板５が、光源部３から出射され、反射シート７により反射された光を、液晶パネル１側に反射するように、液晶表示装置１００を構成する。これにより、反射シート７から反射される光を反射板５により反射させない場合に比べて、液晶パネル１の輝度を高くすることができる。その結果、液晶パネル１の輝度が局所的に低くなるのを抑制することができる。
【００８１】
［第２実施形態］
次に、図１および図１２を参照して、第２実施形態について説明する。この第２実施形態では、拡散板４が単一の材質により形成されている上記第１実施形態の構成とは異なり、拡散板１４が複数の材質により形成されている。なお、上記第１実施形態と同一の構成については、図中において同じ符号を付して図示し、その説明を省略する。
【００８２】
図１２に示すように、液晶表示装置３００（図１参照）は、拡散板１４および反射板１５を備える。拡散板１４および反射板１５は、互いに別個に形成されており、端部同士で接続されている。また、反射板１５の液晶パネル１側の端部１５ａは、光学シート６と接触している。なお、拡散板１４および反射板１５は、それぞれ、特許請求の範囲の「減衰部」および「反射部」の一例である。
【００８３】
ここで、第２実施形態では、拡散板１４は、光の透過率が部分毎に異なる。具体的には、拡散板１４は、拡散部分１４ａと、拡散部分１４ａよりも透過率の高い透明部分１４ｂとの二色成形（２種類の樹脂を熱溶着させる成形方法）により形成されている。拡散部分１４ａは、透明部分１４ｂの上方側（Ｚ１方向側）に設けられている。なお、拡散部分１４ａの光の透過率および反射率は、それぞれ、３％および９７％である。また、透明部分１４ｂは、たとえばＰＥＴ樹脂により形成されている。透明部分１４ｂの透過率および反射率は、それぞれ、たとえば９０％および１０％である。また、反射板１５は、拡散部分１４ａと共通の材質により形成されているが、互いに異なる材質により形成されていてもよい。なお、拡散部分１４ａおよび透明部分１４ｂは、それぞれ、特許請求の範囲の「第１部分」および「第２部分」の一例である。
【００８４】
また、反射板１５は、反射シート７と共通の材質により形成されている。なお、反射板１５と反射シート７とは、切り離されており、互いに別個に設けられている。
【００８５】
この場合、光学レンズ３ｂの第１集中部３ｈからの光は、拡散部分１４ａに照射される。そして、拡散部分１４ａに照射された光の一部は、液晶表示装置３００の背面側（Ｙ２方向側）に反射される。また、拡散部分１４ａに照射された光の残りの一部は、拡散部分１４ａにより拡散される。拡散部分１４ａにより拡散された光の少なくとも一部は、反射板１５により液晶パネル１側に反射される。
【００８６】
また、光学レンズ３ｂの第２集中部３ｉからの光は、透明部分１４ｂを透過する。透明部分１４ｂを透過した光のうちの少なくとも一部は、反射板１５により液晶パネル１側に反射される。
【００８７】
第２実施形態のその他の構成は、上記第１実施形態と同様である。
【００８８】
（第２実施形態の効果）
第２実施形態では、以下のような効果を得ることができる。
【００８９】
第２実施形態では、上記のように、拡散板１４が、光の透過率が部分毎に異なるように、液晶表示装置３００を構成する。これにより、拡散板１４から出射される光の強度を部分毎に変化させることができる。その結果、液晶パネル１に照射される光の強度を部分毎に変化させることができるので、液晶パネル１の部分毎の輝度を容易に調整することができる。
【００９０】
また、第２実施形態では、上記のように、拡散板１４が、第１集中部３ｈからの光が照射されるとともに照射された光を拡散させる拡散部分１４ａと、拡散部分１４ａよりも光の透過率が高く、第２集中部３ｉからの光を透過させて反射板１５により液晶パネル１側に反射させる透明部分１４ｂとを含むように、液晶表示装置３００を構成する。これにより、比較的透過率が低い拡散部分１４ａにより第１集中部３ｈからの光が遮られることにより、光が比較的大きく減衰されるので、第１集中部３ｈからの光が起因して液晶パネル１の輝度が局所的に高くなるのを抑制することができる。また、第２集中部３ｉからの光が、比較的透過率の高い透明部分１４ｂを透過することにより、第２集中部３ｉからの光の減衰量を小さくすることができるので、第２集中部３ｉからの光を利用して、液晶パネル１の輝度が局所的に低くなるのを抑制することができる。
【００９１】
また、第２実施形態では、上記のように、反射板１５が、反射シート７と共通の材質によって形成されるように、液晶表示装置３００を構成する。これにより、反射シート７と反射板１５とが互いに異なる材質により形成されている場合に比べて、部品の種類を少なくすることができる。
【００９２】
なお、第２実施形態のその他の効果は、上記第１実施形態と同様である。
【００９３】
［第３実施形態］
次に、図１、図１３、および、図１４を参照して、第３実施形態について説明する。この第３実施形態では、透明部分１４ｂが設けられている上記第２実施形態の構成とは異なり、透明部分１４ｂが設けられていない。なお、上記第２実施形態と同一の構成については、図中において同じ符号を付して図示し、その説明を省略する。
【００９４】
図１３に示すように、液晶表示装置４００（図１参照）は、拡散板２４を備える。拡散板２４および反射板１５は、互いに別個に形成されている。具体的には、拡散板２４および反射板１５は、互いに離間して設けられている。また、拡散板２４は、反射板１５と共通の材質により形成されているが、互いに異なる材質により形成されていてもよい。なお、拡散板２４は、特許請求の範囲の「減衰部」の一例である。
【００９５】
ここで、第３実施形態では、光学レンズ３ｂの第１集中部３ｈからの光は、拡散板２４に照射される。そして、拡散板２４に照射された光の一部は、液晶表示装置４００の背面側（Ｙ２方向側）に反射される。また、拡散板２４に照射された光の残りの一部は、拡散板２４により拡散される。拡散板２４により拡散された光の少なくとも一部は、反射板１５により液晶パネル１側に反射される。
【００９６】
また、光学レンズ３ｂの第２集中部３ｉからの光は、拡散板２４と反射板１５との間を通過する。拡散板２４と反射板１５との間を通過した光のうちの少なくとも一部は、反射板１５により液晶パネル１側に反射される。
【００９７】
また、図１４に示すように、拡散板２４は、リアキャビネット２ｂをフロントキャビネット２ａに取り付ける際に用いられるガイド２ｆに取り付けられることにより保持される。具体的には、拡散板２４は、ガイド２ｆのうち、拡散板２４側に延びる部分２ｇに取り付けられる。なお、図１４は、概略的な図示である。
【００９８】
第３実施形態のその他の構成は、上記第１実施形態と同様である。
【００９９】
（第３実施形態の効果）
第３実施形態では、以下のような効果を得ることができる。
【０１００】
第３実施形態では、上記のように、第１集中部３ｈからの光が、拡散板２４により拡散されるとともに、第２集中部３ｉからの光が、拡散板２４と反射板１５との間を通過して反射板１５により液晶パネル１側に反射されるように、液晶表示装置４００を構成する。これにより、拡散板２４により第１集中部３ｈからの光を遮ることにより、第１集中部３ｈからの光が減衰されるので、第１集中部３ｈからの光が起因して液晶パネル１の輝度が局所的に高くなるのを抑制することができる。また、第２集中部３ｉからの光が拡散板２４と反射板１５との間をそのまま通ることにより、第２集中部３ｉからの光が減衰されないので、第２集中部３ｉからの光を利用して、液晶パネル１の輝度が局所的に低くなるのを抑制することができる。
【０１０１】
また、第２集中部３ｉからの光を別途設けられた透過率の高い部材により透過（拡散）させる場合に比べて、部品点数を低減することができる。
【０１０２】
なお、第３実施形態のその他の効果は、上記第１実施形態と同様である。
【０１０３】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１０４】
たとえば、上記第１実施形態では、拡散板４（減衰部）と反射板５（反射部）とが互いに共通の材質により形成されている例を示したが、本発明はこれに限られない。拡散板４（減衰部）と材質が異なる反射部が設けられていてもよい。
【０１０５】
具体的には、図１５に示すように、拡散板４は、反射板２５よりも光の拡散度が高い材質により形成されている。また、反射板２５は、拡散板４よりも光の反射率が高い材質により形成されている。具体的には、拡散板４および反射板２５の光の反射率は、それぞれ、２５％および９７％である。また、拡散板４の拡散度は９０％であるとともに、反射板２５の拡散度は９０％よりも低い値である。この場合、拡散板４および反射板２５は、互いの端部同士で接続されている。なお、反射板２５は、特許請求の範囲の「反射部」の一例である。
【０１０６】
これにより、拡散板４の拡散度が反射板２５の拡散度以下である場合に比べて、拡散板４によってより効果的に光の強度を減衰することができる。その結果、液晶パネル１の輝度が局所的に高くなるのをより抑制することができる。また、反射板２５の反射率が、拡散板４の反射率以下である場合に比べて、より強度の高い光が反射板２５により反射されて液晶パネル１に照射される。その結果、拡散板４により光の強度が過度に低下した場合に、反射板２５からの反射光によって液晶パネル１を照射することにより、液晶パネル１の輝度が過度に低くなるのを（局所的に輝度が低下するのを）より効果的に抑制することができる。
【０１０７】
また、上記第１〜第３実施形態では、反射板５（１５）（反射部）は、筐体２の内側面部２ｃにより下方から支持されている例を示したが、本発明はこれに限られない。たとえば、反射板（反射部）と内側面部２ｃとが離間していてもよい。
【０１０８】
具体的には、図１６に示すように、反射板３５の液晶パネル１側の端部３５ａは、上下方向（Ｚ方向）において、内側面部２ｃから距離Ｄ４だけ離間している。距離Ｄ４は、たとえば、約９ｍｍである。反射板３５の端部３５ａは、表示領域Ａよりは外周側（Ｚ２方向側）に位置している。なお、反射板３５は、特許請求の範囲の「反射部」の一例である。
【０１０９】
また、反射板３５は、液晶パネル１の垂線αに対して液晶パネル１側に角度θ４だけ傾斜している。角度θ４は、たとえば、約３５度である。
【０１１０】
また、拡散板３４は、上下方向（Ｚ方向）における高さＨ５は、たとえば約４ｍｍである。また、反射板３５の端部３５ａから、拡散板３４の上端３４ａまでの上下方向（Ｚ方向）における距離Ｄ５は、たとえば約１０ｍｍである。なお、拡散板３４および反射板３５は、互いに一体的に形成されているとともに、共通の材質により形成されている。拡散板３４および反射板３５の光の透過率および反射率は、それぞれ、３％および９７％である。また、拡散板３４は、特許請求の範囲の「減衰部」の一例である。
【０１１１】
また、拡散板３４のＹ方向における位置は、光学レンズ３ｂの液晶パネル１側の端部３ｇのＹ方向における位置と揃っている。
【０１１２】
また、上記第１〜第３実施形態では、光学レンズ３ｂの端部３ｇと、拡散板４（１４、２４）（減衰部）とが接触している例を示したが、本発明はこれに限られない。光学レンズ３ｂの端部３ｇと、拡散板４（１４、２４）（減衰部）とが離間していてもよい。
【０１１３】
また、上記第１〜第３実施形態では、反射板５（１５）（反射部）の端部５ａ（１５ａ）が、光学シート６と接触している例を示したが、本発明はこれに限られない。端部５ａ（１５ａ）と、光学シート６とが離間していてもよい。
【０１１４】
また、上記第２実施形態では、拡散板１４（減衰部）が、互いに材質の異なる２つの部分（拡散部分１４ａと透明部分１４ｂ）を有している例を示したが、本発明はこれに限られない。拡散板１４（減衰部）が、互いに材質の異なる３つ以上の部分を有していてもよい。
【０１１５】
また、上記第３実施形態では、拡散板２４（減衰部）と反射板１５（反射部）とが互いに離間しており、第２集中部３ｉからの光が拡散板２４（減衰部）と反射板１５（反射部）との間を通過する例を示したが、本発明はこれに限られない。たとえば、拡散板２４（減衰部）と反射板１５（反射部）とが互いに接続されており、第２集中部３ｉからの光が、拡散板２４（減衰部）に設けられた孔部またはスリットを通過するように構成されていてもよい。
【０１１６】
また、上記第２および第３実施形態では、反射板１５（反射部）と反射シート７とが共通の材質により形成されている例を示したが、本発明はこれに限られない。反射板１５（反射部）と反射シート７とが、互いに異なる材質により形成されていてもよい。
【０１１７】
また、上記第２および第３実施形態では、反射板１５（反射部）と反射シート７とが、互いに切り離されている例を示したが、本発明はこれに限られない。反射板１５（反射部）と反射シート７とが、一体的に形成されていてもよい。
【０１１８】
また、上記第１〜第３実施形態では、液晶表示装置１００（３００、４００）（表示装置）に導光板が設けられていない例を示したが、本発明はこれに限られない。液晶表示装置１００（３００、４００）（表示装置）に導光板が設けられていてもよい。
【０１１９】
また、上記第１〜第３実施形態では、光源部３は、略長方形形状の液晶パネル１の４辺の各々に沿って設けられている内側面部２ｃのうちの１つだけに設けられている例を示したが、本発明はこれに限られない。たとえば、光源部３は、２つ以上の内側面部２ｃに設けられていてもよい。
【０１２０】
また、上記第１〜第３実施形態では、拡散板４（１４、２４）（減衰部）および反射板５（１５）（反射部）の各々が、略平板形状を有する例を示したが、本発明はこれに限られない。たとえば、拡散板４（１４、２４）（減衰部）および反射板５（１５）（反射部）の各々は、湾曲形状を有していてもよい。
【０１２１】
また、上記第１実施形態では、拡散板４（減衰部）が拡散機能を有する例を示したが、本発明はこれに限られない。たとえば、減衰部が、光の強度を減衰して透過させる透過機能のみを有する部材であってもよい。
【符号の説明】
【０１２２】
１  液晶パネル（表示パネル）
２  筐体
２ｃ  内側面部
２ｄ  底面部
３  光源部
３ａ  ＬＥＤ（光源）
３ｂ  光学レンズ
３ｇ  端部（光学レンズの端部）
３ｈ  第１集中部（集中部）
３ｉ  第２集中部（集中部）
４、１４、２４、３４  拡散板（減衰部）
５、１５、２５、３５  反射板（反射部）
５ａ、１５ａ、３５ａ  端部（反射部の端部）
７  反射シート
１４ａ  拡散部分（第１部分）
１４ｂ  透明部分（第２部分）
１００、３００、４００  液晶表示装置（表示装置）
Ａ  表示領域
α  垂線
【図１】
2020024314.tif 000003
【図２】
2020024314.tif 000004
【図３】
2020024314.tif 000005
【図４】
2020024314.tif 000006
【図５】
2020024314.tif 000007
【図６】
2020024314.tif 000008
【図７】
2020024314.tif 000009
【図８】
2020024314.tif 000010
【図９】
2020024314.tif 000011
【図１０】
2020024314.tif 000012
【図１１】
2020024314.tif 000013
【図１２】
2020024314.tif 000014
【図１３】
2020024314.tif 000015
【図１４】
2020024314.tif 000016
【図１５】
2020024314.tif 000017
【図１６】
2020024314.tif 000018